(57)【要約】【課題】複数のモジュールから特定モジュールを単純な構造で安価に識別できるエンクロージャ装置を提供する。【解決手段】エンクロージャ装置は、複数のスロットを有するエンクロージャ本体と、スロットのそれぞれにリリース可能に収容され、電子機器を含む複数のモジュールと、モジュールのそれぞれに配置された反射部に照射光を照射可能な位置に配置され、複数のモジュールのうち、特定モジュールを識別するために、特定モジュールの反射部に、所定状態の照射光を照射する発光部を有する発光ユニットとを備えている。【選択図】図１
2010092409.tif 000002
【特許請求の範囲】
【請求項１】
複数のスロットを有するエンクロージャ本体と、
前記スロットのそれぞれにリリース可能に収容され、電子機器を含む複数のモジュールと、
前記モジュールのそれぞれに配置された反射部に照射光を照射可能な位置に配置され、前記複数のモジュールのうち、特定モジュールを識別するために、前記特定モジュールの前記反射部に、所定状態の照射光を照射する発光部を有する発光ユニットと、を備えたエンクロージャ装置。
【請求項２】
前記発光ユニットは、前記複数のモジュールのそれぞれに対応するように前記発光部を複数備える請求項１記載のエンクロージャ装置。
【請求項３】
前記発光ユニットは、前記複数のモジュールのうち、第１モジュールの第１反射部に対応する第１発光部と、前記第１モジュールと異なる第２モジュールの第２反射部に対応する第２発光部とを含み、
前記第１発光部は、射出した照射光のほぼ全てが前記第１反射部に照射されるように向きが調整され、
前記第２発光部は、射出した照射光のほぼ全てが前記第２反射部に照射されるように向きが調整されている請求項２記載のエンクロージャ装置。
【請求項４】
前記発光ユニットは、前記第１モジュールが前記特定モジュールである場合、前記第１発光部から前記所定状態の照射光を前記第１反射部に照射し、前記第２モジュールが前記特定モジュールである場合、前記第２発光部から前記所定状態の照射光を前記第２反射部に照射する請求項３記載のエンクロージャ装置。
【請求項５】
前記発光ユニットは、前記発光部の向きを変えることができるアクチュエータを有し、
前記アクチュエータは、前記発光部から射出された照射光のほぼ全てが前記第１反射部に照射されるように前記発光部の向きを調整可能であるとともに、前記発光部から射出された照射光のほぼ全てが前記第２反射部に照射されるように前記発光部の向きを調整可能である請求項２記載のエンクロージャ装置。
【請求項６】
前記発光ユニットは、前記第１モジュールが前記特定モジュールである場合、前記アクチュエータにより前記発光部の向きを調整して、前記発光部から前記所定状態の照射光を前記第１反射部に照射し、前記第２モジュールが前記特定モジュールである場合、前記アクチュエータにより前記発光部の向きを調整して、前記発光部から前記所定状態の照射光を前記第２反射部に照射する請求項５記載のエンクロージャ装置。
【請求項７】
前記発光ユニットは、前記スロットと対向しない位置に配置されている請求項１〜６のいずれか一項記載のエンクロージャ装置。
【請求項８】
前記複数のモジュールの反射部のそれぞれに照射される前記照射光は、ほぼ同じ波長領域の光であり、
前記複数のモジュールの反射部のそれぞれは、ほぼ同じ色である請求項１〜７のいずれか一項記載のエンクロージャ装置。
【請求項９】
前記発光ユニットは、前記エンクロージャ本体に支持されている請求項１〜８のいずれか一項記載のエンクロージャ装置。
【発明の詳細な説明】
【技術分野】
【０００１】
本発明は、計算機等の電子機器を含むモジュールを収容可能なエンクロージャ装置に関する。
【背景技術】
【０００２】
計算機等の電子機器を含むモジュールは、例えば下記特許文献に開示されているような、スロットを備えたエンクロージャ装置（収容装置）に収容されて使用される。
【特許文献１】特開２００４−２５２８００号公報
【発明の開示】
【発明が解決しようとする課題】
【０００３】
エンクロージャ装置において、例えばモジュールを交換する場合、複数のモジュールから交換対象のモジュールを円滑に識別できることが望ましい。そのため、そのモジュールを単純な構造で安価に識別できる技術の案出が望まれる。
【０００４】
本発明は、複数のモジュールから特定モジュールを単純な構造で安価に識別できるエンクロージャ装置を提供することを目的とする。
【課題を解決するための手段】
【０００５】
本発明の一態様に従えば、複数のスロットを有するエンクロージャ本体と、前記スロットのそれぞれにリリース可能に収容され、電子機器を含む複数のモジュールと、前記モジュールのそれぞれに配置された反射部に照射光を照射可能な位置に配置され、前記複数のモジュールのうち、特定モジュールを識別するために、前記特定モジュールの前記反射部に、所定状態の照射光を照射する発光部を有する発光ユニットと、を備えたエンクロージャ装置が提供される。
【発明の効果】
【０００６】
本発明によれば、複数のモジュールから特定モジュールを単純な構造で安価に識別できる。
【発明を実施するための最良の形態】
【０００７】
以下、本発明の実施形態について図面を参照しながら説明する。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（鉛直方向、上下方向）をＺ軸方向とする。また、Ｘ軸、Ｙ軸及びＺ軸まわりの回転（傾斜）方向をそれぞれ、θＸ、θＹ及びθＺ方向とする。
【０００８】
＜第１実施形態＞
第１実施形態について説明する。図１は、第１実施形態に係るエンクロージャ装置１００の一例を前面側（−Ｘ側）から見た斜視図である。図１において、エンクロージャ装置１００は、複数のスロット３〜１４を有するエンクロージャ本体１と、スロット３〜１４のそれぞれにリリース可能に収容される複数のモジュール２７〜３８と、複数のモジュール２７〜３８のそれぞれに対応するように配置される複数の発光部１５〜２６を有する発光ユニット２とを備えている。スロット３〜１４は、収容部（隙間）を有する。モジュール２７〜３８のそれぞれは、そのスロット３〜１４の収容部に配置可能である。モジュール２７〜３８それぞれの前面に、照射された光を反射可能な反射部３９〜５０が配置されている。
【０００９】
発光ユニット２は、エンクロージャ本体１に支持されている。本実施形態において、発光ユニット２は、複数の発光部１５〜２６を支持するプレート部材２Ｐを有する。エンクロージャ本体１は、発光ユニット２のプレート部材２Ｐを支持する。発光ユニット２の発光部１５〜２６は、モジュール２７〜３８のそれぞれに配置された反射部３９〜５０に照射光を照射可能な位置に配置される。
【００１０】
発光部１５〜２６のそれぞれは、照射光を射出可能である。発光部１５〜２６は、モジュール２７〜３８の反射部３９〜５０のそれぞれに対応するように配置されている。発光部１５〜２６のそれぞれは、モジュール２７〜３８に配置された反射部３９〜５０に照射光が照射されるように、プレート部材２Ｐ上において、向きが調整され、固定されている。例えば、発光部１５は、複数のモジュール２７〜３８のうち、モジュール２７の反射部３９に対応し、射出した照射光のほぼ全てが反射部３９に照射されるように、プレート部材２Ｐ上において向きが調整され、固定されている。また、発光部１６は、複数のモジュール２７〜３８のうち、モジュール２８の反射部４０に対応し、射出した照射光のほぼ全てが反射部４０に照射されるように、プレート部材２Ｐ上において向きが調整され、固定されている。同様に、発光部１７〜２６は、複数のモジュール２７〜３８のうち、モジュール２９〜３８の反射部４１〜５０のそれぞれに対応し、射出した照射光のほぼ全てが反射部４１〜５０のそれぞれに照射されるように、プレート部材２Ｐ上において向きが調整され、固定されている。
【００１１】
発光部１５〜２６のそれぞれは、所謂、スポット光を照射する。例えば、発光部１５は、複数のモジュール２７〜３８の反射部３９〜５０のうち、実質的に、モジュール２７の反射部３９のみに照射光が照射されるように、照射光（スポット光）を照射可能である。また、発光部１６は、複数のモジュール２７〜３８の反射部３９〜５０のうち、実質的に、モジュール２８の反射部４０のみに照射光が照射されるように、照射光（スポット光）を照射可能である。同様に、発光部１７〜２６は、複数のモジュール２７〜３８の反射部３９〜５０のうち、実質的に、モジュール２９〜３８の反射部４１〜５０のみに照射光が照射されるように、照射光（スポット光）を照射可能である。
【００１２】
本実施形態において、発光ユニット２は、スロット３〜１４（モジュール２７〜３８）と対向しない位置に配置されている。本実施形態において、発光ユニット２(発光部１５〜２６）は、スロット３〜１４の上方（＋Ｚ側）に配置されている。本実施形態において、プレート部材２Ｐは、エンクロージャ本体１の上部に接続されている。なお、プレート部材２Ｐが、例えばエンクロージャ本体１の下部に接続され、発光ユニット２(発光部１５〜２６）が、スロット３〜１４の下方（−Ｚ側）に配置されてもよい。また、プレート部材２Ｐが、例えばエンクロージャ本体１の側部に接続され、発光ユニット２(発光部１５〜２６）が、スロット３〜１４の側方（＋Ｙ側又は−Ｙ側）に配置されてもよい。
【００１３】
発光ユニット２は、複数のモジュール２７〜３８のうち、特定のモジュールを識別するために、その特定のモジュールに配置された反射部に、その特定のモジュールに配置された反射部に対応する発光部から、所定状態の照射光を照射することができる。例えば、複数のモジュール２７〜３８のうち、モジュール２７を識別する場合、発光ユニット２は、複数のモジュール２７〜３８のうち、モジュール２７を識別するために、そのモジュール２７に配置された反射部３９に、発光部１５から、所定状態の照射光を照射する。
【００１４】
本実施形態のエンクロージャ装置１００は、所謂、ブレード型モジュール搭載タイプであって、モジュール２７〜３８のそれぞれは、電子機器を含む。
【００１５】
本実施形態において、モジュール２７〜３６のそれぞれは、計算機を含む。すなわち、本実施形態において、モジュール２７〜３６のそれぞれは、所謂、計算機ブレードである。モジュール２７〜３６は、ほぼ同一形状である。それらモジュール２７〜３６が配置されるスロット３〜１２は、ほぼ同一形状である。スロット３〜１２は、モジュール２７〜３６をリリース可能に収容可能である。
【００１６】
本実施形態において、モジュール３７，３８のそれぞれは、スイッチを含む。すなわち、本実施形態において、モジュール３７，３８のそれぞれは、所謂、スイッチブレードである。モジュール３７，３８は、ほぼ同一形状である。それらモジュール３７，３８が配置されるスロット１３，１４は、ほぼ同一形状である。スロット１３，１４は、モジュール３７，３８をリリース可能に収容可能である。
【００１７】
発光部１５〜２６から射出される照射光は、ほぼ同じ波長領域の光であり、複数のモジュール２７〜３８の反射部３９〜５０のそれぞれに照射される照射光は、ほぼ同じ波長領域の光である。本実施形態において、反射部３９〜５０のそれぞれに照射される照射光は、白色光である。複数のモジュール２７〜３８の反射部３９〜５０のそれぞれは、ほぼ同じ色（均一な色調）である。なお、反射部３９〜５０のそれぞれに照射される照射光が、赤色光、青色光、及び緑色光の少なくとも１つでもよいし、他の色光でもよい。
【００１８】
次に、上述の構成を有するエンクロージャ装置１００の動作の一例について説明する。
【００１９】
上述のように、本実施形態において、発光ユニット２は、複数のモジュール２７〜３８のうち、特定のモジュールを識別するために、その特定のモジュールに配置された反射部に、発光部から、所定状態の照射光を照射する。一例として、以下の説明においては、複数のモジュール２７〜３８のうち、モジュール２７を識別する場合を例にして説明する。また、以下の説明においては、一例として、モジュール２７を交換するために、そのモジュール２７を識別する場合を例にして説明する。モジュール２７を識別する際、発光ユニット２は、発光部１５から所定状態の照射光をモジュール２７に配置された反射部３９に照射する。
【００２０】
発光ユニット２は、モジュール２７に対応する発光部１５を制御して、その発光部１５より、所定状態の照射光を照射する。本実施形態においては、一例として、発光ユニット２は、発光部１５より、点滅状態の照射光を照射する。発光部１５から射出された照射光５２は、モジュール２７の反射部３９に照射され、その反射部３９で反射する。反射部３９で反射した照射光５２の反射光５３は、点滅状態である。作業者は、点滅状態の反射光５３を発する反射部３９を備えたモジュール２７が、交換対象（識別対象）のモジュールであると判断することができる。
【００２１】
本実施形態においては、発光ユニット２は、交換対象（識別対象）でないモジュール２８〜３８に対応する発光部１６〜２６を制御して、その発光部１６〜２６より、所定状態（点滅状態）以外の状態の照射光を照射する。一例として、発光ユニット２は、発光部１６〜２６より、点灯状態の照射光を照射する。点灯状態は、連続的に照射光を照射する状態を意味する。発光部１６〜２６から射出された照射光５２は、モジュール２７の反射部４０〜５０で反射する。反射部４０〜５０で反射した照射光５２の反射光５３は、点灯状態である。作業者は、点灯状態の反射光５３を発する反射部４０〜５０を備えたモジュール２８〜３８が、交換対象（識別対象）でないモジュールであると判断することができる。
【００２２】
なお、ここでは、交換対象（識別対象）のモジュールに配置された反射部に点滅状態の照射光５２を照射し、交換対象（識別対象）でないモジュールに配置された反射光に点灯状態の照射光５２を照射する場合を例にして説明したが、例えば、発光ユニット２が、交換対象（識別対象）でないモジュール２８〜３８に対応する発光部１６〜２６を制御して、その発光部１６〜２６を消灯状態としてもよい。消灯状態は、照射光５２を照射しない状態を意味する。こうすることによっても、作業者は、交換対象のモジュール２７と、交換対象でないモジュール２８〜３８とを識別することができる。
【００２３】
また、交換対象（識別対象）のモジュールに配置された反射部に、点灯状態の照射光５２を照射し、交換対象（識別対象）でないモジュールに配置された反射部に、点滅状態の照射光５２を照射してもよい。また、交換対象（識別対象）のモジュールに配置された反射部に、照射光５２を照射せず、交換対象（識別対象）でないモジュールに配置された反射光に、点滅状態又は点灯状態の照射光５２を照射してもよい。こうすることによっても、作業者は、交換対象のモジュールと、交換対象でないモジュールとを識別することができる。
【００２４】
以上、モジュール２７が交換対象（識別対象）のモジュールである場合を例にして説明した。もちろん、例えばモジュール２８が交換対象（識別対象）のモジュールでもよい。その場合、発光ユニット２は、モジュール２８に対応する発光部１６を制御して、その発光部１６から所定状態の照射光をモジュール２８の反射部４０に照射する。発光部１６から射出された照射光５２は、モジュール２８の反射部４０に照射され、その反射部４０で反射する。反射部４０で反射した照射光５２の反射光５３は、所定状態である。作業者は、所定状態の反射光５３を発する反射部４０を備えたモジュール２８が、交換対象（識別対象）のモジュールであると判断することができる。また、発光ユニット２は、交換対象（識別対象）でないモジュール２７，２９〜３８に対応する発光部１５，１７〜２６を制御して、その発光部１５，１７〜２６より、所定状態以外の状態の照射光を照射する。あるいは、その発光部１５，１７〜２６より、照射光５２を照射しない。これにより、作業者は、交換対象（識別対象）のモジュールと、交換対象（識別対象）でないモジュールとを識別することができる。
【００２５】
以上説明したように、本実施形態によれば、複数のモジュール２７〜３８から、例えば交換対象のモジュール２７を単純な構造で安価に識別できる。例えば、モジュールに発光部を設ける場合、それら各モジュールの発光部に電力を供給するための電力供給装置等を設ける必要がある。本実施形態においては、モジュールと異なる発光ユニット２の発光部１５〜２６のそれぞれに電力を供給すればよく、モジュールには反射部を設けるだけでよい。このように、本実施形態においては、単純な構造でモジュールを識別することができる。したがって、エンクロージャ装置１００全体の構造を単純化でき、装置コストを低減することができる。
【００２６】
また、例えば、複数のスロット３〜１４のうち、全てのスロット３〜１４にモジュールを配置せず、例えば所定のスロットにその所定のスロットを塞ぐためのダミー部材を配置する構成が考えられる。本実施形態によれば、そのダミー部材に反射部を設けるだけで、そのダミー部材を安価に識別することができる。
【００２７】
また、本実施形態によれば、モジュール２７〜３８と異なる位置に発光部１５〜２６を設けたので、エンクロージャ装置１００の大型化を抑制することができる。
【００２８】
また、本実施形態においては、発光ユニット２は、スロット３〜１４と対向しない位置に配置されており、発光部１５〜２６から射出された照射光は、反射部３９〜５０に斜め方向から照射される。これにより、エンクロージャ本体１の前面側の空間（スロット３〜１４の収容部の開口に面する空間）を確保することができる。したがって、例えばモジュール２７〜３８の交換作業、モジュール２７〜３８及びスロット３〜１４を含むエンクロージャ装置１００のメンテナンス作業等を円滑に行うことができる。
【００２９】
また、発光ユニット２がスロット３〜１４と対向しない位置に配置されているので、例えば作業者は、反射部３９〜５０からの反射光５３を円滑に視認することができる。
【００３０】
また、本実施形態によれば、反射部３９〜５０の色がほぼ同じなので、各反射部３９〜５０から発した反射光５３を円滑に識別することができる。例えば、エンクロージャ装置１００は、明るい空間（場所）に配置される場合もあれば、暗い空間に配置される場合もある。また、異なる明るさの空間に移動して用いられる場合もある。本実施形態においては、ほぼ同じ色の反射部３９〜５０を各モジュール２７〜３８が有するため、発光部１５〜２６から射出された照射光を容易に識別することができる。したがって、エンクロージャ装置１００が配置される空間の明るさの許容範囲を広くすることができる。
【００３１】
＜第２実施形態＞
次に、第２実施形態について説明する。以下の説明において、上述の実施形態と同一又は同等の構成部分については同一の符号を付し、その説明を簡略若しくは省略する。
【００３２】
図２は、第２実施形態に係るエンクロージャ装置１００Ｂの一例を示す図である。図２において、エンクロージャ装置１００Ｂの発光ユニット２Ｂは、発光部６０からの照射光が、複数のモジュール２７〜３８のうち、少なくとも１つのモジュールが備える反射部に照射されるように、発光部６０の向きを変えることができるアクチュエータ６１を備えている。
【００３３】
以下、一例として、複数のモジュール２７〜３８のうち、モジュール３３を交換（識別）するために、そのモジュール３３に配置された反射部４５に、発光部６０から所定状態の照射光が照射される場合について説明する。
【００３４】
発光ユニット２Ｂは、アクチュエータ６１を制御して、発光部６０から射出された照射光のほぼ全てが反射部４５に照射されるように、発光部６０の向きを調整して、その発光部６０より、所定状態（例えば、点滅状態又は点灯状態）の照射光をモジュール３３の反射部４５に照射する。発光部６０は、スポット光を照射するので、複数のモジュール２７〜３８の反射部３９〜５０のうち、実質的に、モジュール３３の反射部４５のみに照射光が照射されるように、照射光（スポット光）を照射可能である。発光部６０から射出された照射光５２は、モジュール３３の反射部４５に照射され、その反射部４５で反射する。
【００３５】
本実施形態においては、発光部６０の数は、反射部３９〜５０（モジュール２７〜３８）の数に対して少ない。本実施形態において、発光ユニット２Ｂは、発光部６０を１つ備える。本実施形態において、交換対象（識別対象）でないモジュール２７〜３２，３４〜３８の反射部３９〜４４，４６〜５０には、照射光が照射されない。
【００３６】
作業者は、反射光を発する反射部４５を備えたモジュール３３が、交換対象（識別対象）のモジュールであると判断することができる。
【００３７】
なお、ここでは、モジュール３３が交換対象（識別対象）のモジュールである場合を例にして説明したが、もちろん、例えばモジュール３０が交換対象（識別対象）のモジュールでもよい。その場合、発光ユニット２Ｂは、アクチュエータ６１を制御して、発光部６０から射出された照射光５２のほぼ全てがモジュール３０の反射部４２に照射されるように、発光部６０の向きを調整する。発光部６０から射出された照射光（スポット光）は、複数のモジュール２７〜３８の反射部３９〜５０のうち、実質的に、モジュール３０の反射部４２のみに照射される。発光部６０から射出された照射光５２は、モジュール３０の反射部４２に照射され、その反射部４２で反射する。作業者は、所定状態の反射光を発する反射部４２を備えたモジュール３０が、交換対象（識別対象）のモジュールであると判断することができる。
【００３８】
なお、本実施形態においては、発光ユニット２Ｂが、発光部６０を１つ備える場合を例にして説明したが、発光部６０を複数備えてもよい。それら複数の発光部６０のそれぞれの向きを調整可能なアクチュエータ６１を、複数の発光部６０のそれぞれに配置することによって、発光部６０の数が反射部３９〜５０（モジュール２７〜３８）の数に対して少ない場合でも、交換対象（識別対象）のモジュールを良好に識別することができる。
【００３９】
なお、上述の第１，第２実施形態においては、スロット３〜１４が、計算機又はスイッチを含む電子機器を備えるモジュール２７〜３８を収容する場合を例にして説明したが、電子機器を備えないモジュールを収容してもよい。
【００４０】
なお、上述の各実施形態においては、モジュール２７〜３６を同一形状とし、モジュール３７、３８を同一形状とし、同一形状のモジュールのグループが２つある場合を例にして説明したが、同一形状のモジュールのグループは、１種類でもよいし、３種類以上でもよい。また、同一形状のモジュールのグループを構成するモジュールの数は、任意の数でよい。
【００４１】
更に、１つのスロットに１つのモジュールが対応する場合に限定されず、複数のスロットに１つのモジュールがまたがって搭載されてもよい。例えば、スロット３とスロット８とにまたがる１つの縦長のモジュールを搭載してもよい。この場合、この縦長のモジュールは、同じ色の反射部３９又は反射部４４の少なくとも一方に対応する反射部を備えればよい。
【００４２】
なお、上述の各実施形態において、１つのエンクロージャ本体１に対して、発光ユニット２（２Ｐ）が複数配置されてもよい。また、１つの発光ユニット２（２Ｐ）が有する発光部の数は任意でよいし、複数の発光ユニットがそれぞれ有する発光部の数が異なってもよい。
【００４３】
なお、上述の各実施形態において、発光部１５〜２６（６０）としてランプを用いてもよいし、液晶装置（ライトバルブ）を介した光でもよい。
【００４４】
なお、上述の各実施形態においては、発光部１５〜２６（６０）が、点灯状態、点滅状態、及び消灯状態の少なくとも１つに制御される場合を例にして説明したが、例えば、発光部１５〜２６（６０）から射出される照射光の色、及び照射光の照度（明暗）の少なくとも一方を制御してもよい。また、発光部１５〜２６（６０）からの照射光をパターン化して、反射部３９〜５０に照射してもよい。例えば、文字、数字、記号、図形、及び写真の少なくとも１つに基づいて照射光をパターン化し、そのパターンの差異によって、モジュール２７〜３８を識別してもよい。また、発光部１５〜２６（６０）が点滅状態に制御される場合には、点滅の周期、点滅のパターンの差異を用いて、モジュール２７〜３８を識別してもよい。もちろん、上述の各手法を任意に組み合わせて用いてもよい。
【００４５】
なお、上述の各実施形態においては、複数のモジュール２７〜３８を、例えば交換対象のモジュールと、交換対象でないモジュールとの、２種類のカテゴリーのモジュールとして識別（区別）する場合を例にして説明したが、３種類以上の異なるカテゴリーに区別してもよいし、区別しなくてもよい。また、異なるカテゴリーに含まれるモジュールの数は、それぞれ任意でよい。
【００４６】
なお、上述の各実施形態においては、発光ユニット２（２Ｂ）の発光部１５〜２６（６０）からの照射光５２を、反射部３９〜５０で１回反射した反射光５３が作業者に視認される場合を例にして説明したが、発光部１５〜２６（６０）からの照射光を任意の回数だけ反射させてもよい。発光部１５〜２６（６０）から射出された照射光が反射部３９〜５９を経由して、最終的に作業者に視認されるのであるならば、モジュール２７〜３８に設けられた反射部３９〜５０で反射する前に、他の反射部で少なくとも１回反射させてもよいし、モジュール２７〜３８に設けられた反射部３９〜５０で反射した後に、他の反射部で少なくとも１回反射させてもよい。
【００４７】
なお、上述の各実施形態においては、モジュール２７〜３８の識別を作業者が実行することとしたが、作業者に限らず、例えば照射光（反射光）の状態を識別できる光学装置を用いて、モジュール２７〜３８の識別を行うことができる。
【００４８】
なお、上述の各実施形態においては、スロット３〜１４にモジュール２７〜３８が収容されている状態で、交換対象のモジュールを識別する場合を示したが、スロット３〜１４にモジュール２７〜３８が収容されていないときに、自動又は手動でスロット３〜１４を閉じることができるシャッタ部材を配置し、そのシャッタ部材でスロット３〜１４を閉じてもよい。そのシャッタ部材が、モジュール２７〜３８が備える反射部３９〜５０と同等の反射部を有する場合、スロット３〜１４のうち、モジュールを収容しないスロットが存在しても、そのシャッタ部材が有する反射部により、スロット３〜１４にモジュールを収容する場合と同様に、そのスロットを識別することができる。
【図面の簡単な説明】
【００４９】
【図１】第１実施形態に係るエンクロージャ装置の一例を示す斜視図である。
【図２】第２実施形態に係るエンクロージャ装置の一例を示す斜視図である。
【符号の説明】
【００５０】
１…エンクロージャ本体、２…発光ユニット、３〜１４…スロット、１５〜２６…発光部、２７〜３８…モジュール、３９〜５０…反射部、６０…発光部、６１…アクチュエータ、１００…エンクロージャ装置
【図１】
2010092409.tif 000003
【図２】
2010092409.tif 000004